(57)【特許請求の範囲】
【請求項１】
底壁（１２２）と、該底壁（１２２）から曲がった側壁（１２４）とを有するブラケット（１２）と、
上面（１４４）および下面（１４６）を有する表示画面（１４）であって、該表示画面（１４）の前記下面（１４６）は、前記ブラケット（１２）の前記底壁（１２２）上に設けられ、該表示画面（１４）と前記ブラケット（１２）の前記側壁（１２４）とは、前記ブラケット（１２）の前記底壁（１２２）の２つの反対向きの面にそれぞれ配置されている表示画面（１４）と、
前記表示画面（１４）の前記上面（１４４）に接合された下面（１６２）を有するカバープレート（１６）であって、該カバープレート（１６）の側壁に溝（１６４）を有しているカバープレート（１６）と、
互いに結合した第１の接合部（１８２）および第２の接合部（１８４）を備えており、前記第１の接合部（１８２）は、前記溝（１６４）に受け入れられ、前記第２の接合部（１８４）は、前記ブラケット（１２）の前記側壁（１２４）に接合されている装飾エンクロージャ（１８）と
を備え、
前記カバープレート（１６）の前記下面（１６２）に、黒色インクの縁がスクリーン印刷され、前記表示画面（１４）の前記上面（１４４）は、非表示領域（１４２）を定めており、前記黒色インクの縁は、該非表示領域（１４２）を遮蔽し、
前記第１の接合部（１８２）が前記カバープレート（１６）の前記黒色インクの縁の一部を覆う、表示画面アセンブリ（１０）。
【請求項２】
前記第２の接合部（１８４）は、接着、ねじ込み、スナップ嵌合、および溶接のうちの１つまたはいくつかの組み合わせによって前記ブラケット（１２）の前記側壁（１２４）に接合されている、請求項１に記載の表示画面アセンブリ（１０）。
【請求項３】
前記装飾エンクロージャ（１８）は、インモールド射出成形によって前記カバープレート（１６）に接合されている、請求項１に記載の表示画面アセンブリ（１０）。
【請求項４】
前記表示画面（１４）の前記上面（１４４）は、フルラミネーション方式で前記カバープレート（１６）の前記下面（１６２）に接合されている、請求項１に記載の表示画面アセンブリ（１０）。
【請求項５】
前記表示画面（１４）の前記上面（１４４）は、光学的に透明な接着剤（ＯＣＡ）によって前記カバープレート（１６）の前記下面（１６２）に積層されている、請求項１に記載の表示画面アセンブリ（１０）。
【請求項６】
前記表示画面（１４）の前記下面（１４６）は、粘着の様相で前記ブラケット（１２）の前記底壁（１２２）に接合されている、請求項１に記載の表示画面アセンブリ（１０）。
【請求項７】
前記カバープレート（１６）は、タッチ画面カバープレートとして構成されている、請求項１に記載の表示画面アセンブリ（１０）。
【請求項８】
前記装飾エンクロージャ（１８）の外面は、円弧状の表面として構成されている、請求項１に記載の表示画面アセンブリ（１０）。
【請求項９】
請求項１から８のいずれか一項に記載の表示画面アセンブリ（１０）と、該表示画面アセンブリ（１０）に結合した後部カバー（２０）とを備える電子機器（１００）。
【請求項１０】
前記後部カバー（２０）は、前記装飾エンクロージャ（１８）に嵌め合わせられている、請求項９に記載の電子機器（１００）。
【請求項１１】
前記装飾エンクロージャ（１８）は、該装飾エンクロージャ（１８）の側面にボス（１８６）を備えており、前記後部カバー（２０）は、前記ボス（１８６）に対応する溝（２２）を有し、前記ボス（１８６）は、前記後部カバー（２０）の前記溝（２２）に嵌め込まれて前記後部カバー（２０）を前記装飾エンクロージャ（１８）に結合させるように構成されている、請求項１０に記載の電子機器（１００）。
【発明の詳細な説明】
【技術分野】
【０００１】
本開示は、携帯型電子機器の技術分野に関し、とくには、表示画面アセンブリ、電子機器、および表示画面アセンブリの製造方法に関する。
【背景技術】
【０００２】
技術の発達につれて、スマートフォンは、ますます広く使用され、ますます多くの機能を有しており、スマートフォンは、人々の日常生活において不可欠な電子装置となっている。現在、大画面のスマートフォンが、Ｗｅｂページの閲覧、読書、ビデオの鑑賞、ゲームのプレイ、などに関するユーザの要件を満たすために、より大きな表示領域を有している。したがって、スマートフォンのベゼルは、ユーザ体験を向上させるべく画面対本体比（ｓｃｒｅｅｎ−ｔｏ−ｂｏｄｙ  ｒａｔｉｏ）を大きくするために、ますます狭くなってきている。しかしながら、スマートフォンのベゼルが狭ければ狭いほど、スマートフォンにおける表示画面およびカバープレートの組み立てが難しくなる。
【発明の概要】
【発明が解決しようとする課題】
【０００３】
本開示の実施形態は、表示画面アセンブリ、電子機器、および表示画面アセンブリの製造方法を提供する。
【課題を解決するための手段】
【０００４】
本開示の実施形態の第１の態様によれば、表示画面アセンブリが提供される。表示画面アセンブリは、ブラケットと、表示画面と、カバープレートと、装飾エンクロージャとを含む。ブラケットは、底壁と、底壁から曲がった側壁とを含む。表示画面は、上面および下面を含み、表示画面の下面は、ブラケットの底壁上に設けられ、表示画面とブラケットの側壁とは、ブラケットの底壁の２つの反対向きの面にそれぞれ位置する。カバープレートの下面が、表示画面の上面に接合され、カバープレートは、その側壁に溝を有する。装飾エンクロージャは、互いに結合した第１の接合部および第２の接合部を含み、第１の接合部は、溝に収容され、第２の接合部は、ブラケットの側壁に接合される。
【０００５】
いくつかの実施形態において、第２の接合部は、接着、ねじ止め、スナップ留め、および溶接のうちの１つまたはいくつかの組み合わせによって、ブラケットの側壁に接合される。
【０００６】
いくつかの実施形態においては、カバープレートの下面に、黒色インクの縁がスクリーン印刷され、表示画面の上面は、非表示領域を定めており、黒色インクの縁は、非表示領域を遮蔽する。
【０００７】
いくつかの実施形態において、装飾エンクロージャは、インモールド射出成形によってカバープレートと接合される。
【０００８】
いくつかの実施形態において、表示画面の上面は、フルラミネーション方式でカバープレートの下面と接合される。
【０００９】
いくつかの実施形態において、表示画面の上面は、光学的に透明な接着剤（ＯＣＡ）を介してカバープレートの下面と積層される。
【００１０】
いくつかの実施形態において、表示画面の下面は、付着の様相でブラケットの底壁と接合される。
【００１１】
いくつかの実施形態において、カバープレートは、タッチ画面式カバープレートとして構成される。
【００１２】
いくつかの実施形態において、装飾エンクロージャの外面は、円弧面として構成される。
【００１３】
本開示の実施形態の第２の態様によれば、電子機器が提供される。電子機器は、上述のいずれかの実施形態による表示画面アセンブリと、表示画面アセンブリに結合した後部カバーとを含む。
【００１４】
いくつかの実施形態において、後部カバーは、装飾エンクロージャに嵌め合わせられる。
【００１５】
いくつかの実施形態において、装飾エンクロージャは、その側面にボスを備え、後部カバーは、ボスに対応する溝を有し、ボスは、後部カバーの溝に嵌め込まれて後部カバーを装飾エンクロージャに結合させるように構成されている。
【００１６】
本開示の実施形態の第３の態様によれば、表示画面アセンブリの製造方法が提供される。この製造方法は、
装飾エンクロージャ、カバープレート、表示画面、およびブラケットを用意するステップと、
装飾エンクロージャおよびカバープレートをインモールド射出成形することで、装飾エンクロージャをカバープレートに固定的に結合させるステップであって、カバープレートは、その側壁に溝を有し、装飾エンクロージャは、互いに結合した第１の接合部および第２の接合部を含み、第１の接合部が溝に収容されるステップと、
表示画面の上面をカバープレートの下面に十分に積層するステップと、
ブラケットの側壁を装飾エンクロージャに固定的に結合させ、ブラケットの底壁を表示画面の下方に配置するステップと
を含む。
【００１７】
いくつかの実施形態において、表示画面の上面は、光学的に透明な接着剤（ＯＣＡ）を介してカバープレートの下面と積層される。
【００１８】
いくつかの実施形態において、ブラケットの側壁は、接着、ねじ止め、スナップ留め、および溶接のうちの１つまたはいくつかの組み合わせによって、装飾エンクロージャに接合される。
【００１９】
本開示の実施形態による表示画面アセンブリ、電子機器、および表示画面アセンブリの製造方法においては、表示画面アセンブリのブラケット、表示画面、タッチ式画面、および装飾エンクロージャの構造が合理的に設計されているため、電子機器の外縁のベゼルがきわめて狭いときに電子機器において表示画面およびカバープレートを組み立てることができ、したがって電子機器のきわめて狭いベゼルに起因する組み立て困難の問題が解決される。したがって、きわめて狭いベゼルが達成され、画面対本体比が大きくなり、したがってユーザ体験が改善される。
【００２０】
本開示の実施形態のさらなる態様および利点は、一部は以下の説明に提示され、一部は以下の説明から明らかになり、あるいは本開示の実施形態の実施から習得されるであろう。
【００２１】
本開示の実施形態のこれらの態様および利点ならびに他の態様および利点は、以下の図面を参照して行われる説明から明らかになり、容易に理解されるであろう。
【図面の簡単な説明】
【００２２】
【図１】本開示の一実施形態による電子機器の平面図を示している。
【図２】図１の線Ａ−Ａおよび／または線Ｂ−Ｂに沿って得た電子機器の断面図を示している。
【図３】本開示の一実施形態による表示画面アセンブリの製造方法のフローチャートを示している。
【発明を実施するための形態】
【００２３】
本開示の実施形態が詳細に説明され、それらの実施形態の例が図面に示されるが、そこでは、同一または類似の部材あるいは同一または類似の機能を有する部材を示すために、同一または類似の参照番号が使用される。図面を参照して本明細書において説明される実施形態は、説明および例示のためのものであり、本開示を全体的に理解するために使用される。実施形態を、本開示を限定するものと解釈すべきではない。
【００２４】
本明細書において、「中央」、「縦」、「横」、「長さ」、「幅」、「厚さ」、「上」、「下」、「前」、「後」、「左」、「右」、「垂直」、「水平」、「上部」、「下部」、「内側」、「外側」、「時計回り」、および「反時計回り」などの用語は、その説明時の向きまたは検討中の図面に示されているとおりの向きを指すと解釈されるべきである。これらの相対的な用語は、説明を便利にするためのものであり、本開示について、特定の向きでの構築または動作を必要とするものではない。さらに、「第１の・・・」および「第２の・・・」などの用語は、本明細書において、説明の目的で使用されており、相対的な重要性または重大性を意味または示唆しようとしたものではない。したがって、「第１の・・・」および「第２の・・・」によって限定された特徴は、これらの特徴を１つまたは２つ以上含むことを意味または示唆するように意図されている。本開示の説明において、「複数の・・・」は、とくに断りのない限り、２つ以上を意味する。
【００２５】
本開示において、用語「取り付け」、「接続」、「結合」、「固定」、などの用語は、とくに指定または限定されない限り、広い意味で使用され、例えば固定された接続、取り外し可能な接続、または一体的な接続であってよく、機械的な接続であっても、あるいは電気的な接続でもあってもよく、直接的な接続であっても、あるいは介在の構造物を介した間接的な接続でもあってもよく、２つの要素の内的な連絡であってもよい。上述の用語は、当業者によって個々の状況に応じて理解され得る。
【００２６】
本開示の説明において、第１の特徴が第２の特徴の「上（ｏｎ）」にある構造は、第１の特徴が第２の特徴に直接接触する実施形態を含むことができ、とくに指定されない限り、第１の特徴が第２の特徴に直接接触することがないように追加の特徴が第１の特徴と第２の特徴との間に形成された実施形態も含むことができる。さらに、第２の特徴の「上（ｏｎ）」、「上方（ａｂｏｖｅ）」、または「上部（ｏｎ  ｔｏｐ  ｏｆ）」にある第１の特徴は、第１の特徴が第２の特徴のまっすぐ「上」、「上方」、または「上部」にある実施形態を含むことができ、第１の特徴が第２の特徴のまっすぐ「上」、「上方」、または「上部」にはない実施形態も含むことができ、すなわち単に第１の特徴の海抜の高度が第２の特徴の海抜の高度よりも高いことだけを意味する。一方で、第２の特徴の「下（ｂｅｎｅａｔｈ）」、「下方（ｂｅｌｏｗ）」、または「下部（ｏｎ  ｂｏｔｔｏｍ  ｏｆ）」にある第１の特徴は、第１の特徴が第２の特徴のまっすぐ「下」、「下方」、または「下部」にある実施形態を含むことができ、第１の特徴が第２の特徴のまっすぐ「下」、「下方」、または「下部」にはない実施形態も含むことができ、すなわち単に第１の特徴の海抜の高度が第２の特徴の海抜の高度よりも低いことだけを意味する。
【００２７】
以下の開示は、本開示のさまざまな構造を実現するための多数の異なる実施形態または例を提供する。本開示の開示を単純化するために、特定の例における構成要素および構成が詳述される。当然ながら、それらは例示であり、本開示を限定しようとするものではない。さらに、参照用の番号および／または文字が、単純化および平易化の目的で、本開示の異なる例において繰り返されることがあり得るが、それらを種々の実施形態および／または構成の間の関係を示すものと解釈してはならない。さらに、本開示は、種々の具体的なプロセスおよび材料の例を提示するが、当業者であれば、他のプロセスの適用および／または他の材料の利用を考えることができる。
【００２８】
図１および図２に示されるように、本開示の実施形態による電子機器１００は、表示画面アセンブリ１０と、後部カバー２０とを含む。電子機器１００は、携帯電話機、タブレットコンピュータ、スマートウォッチ、などであってよい。
【００２９】
いくつかの実施形態において、表示画面アセンブリ１０は、画像、テキスト、などを表示するように構成される。また、表示画面アセンブリ１０を、ユーザのタッチ操作を受け付けるように構成することもできる。表示画面アセンブリ１０は、ブラケット１２と、表示画面１４と、カバープレート１６と、装飾エンクロージャ１８とを含む。
【００３０】
ブラケット１２は、底壁１２２と、底壁１２２から曲がった側壁１２４とを含む。本開示の実施形態において、底壁１２２および側壁１２４は互いに垂直であり、４つの側壁１２４が設けられており、換言すると、側壁１２４は底壁１２２の４つの辺のそれぞれから延びている。他の実施形態において、底壁１２２は、側壁１２４に対して垂直でなくてもよい。ブラケット１２を、鋼、アルミニウム合金、またはマグネシウム合金などの金属材料で製作することができる。ブラケット１２を、アクリロニトリル−ブタジエン−スチレン共重合体（ＡＢＳ）、ポリ塩化ビニル（ＰＶＣ）、またはポリカーボネート（ＰＣ）などの非金属材料で製作することも可能である。ブラケット１２の材料は、上述の材料に限定されるものではなく、実用上の要求に応じて適切な材料を選択することができる。
【００３１】
表示画面１４は、上面１４４および下面１４６を含む。表示画面１４の下面１４６は、ブラケット１２の底壁１２２の上に設けられ、表示画面１４の下面１４６を、粘着の様相で底壁１２２に接合することができる。本開示のいくつかの実施形態においては、必要に応じて、表示画面１４の下面１４６とブラケット１２の底壁１２２との間に、発泡接着剤または両面接着剤の層による詰め物を配置することができる。本開示のいくつかの実施形態においては、衝突に遭遇したときに表示画面１４を保護すべく緩衝空間を提供するために、表示画面１４の下面１４６とブラケット１２の底壁１２２との間にすき間を保持することができる。表示画面１４および側壁１２４は、底壁１２２の２つの反対向きの面にそれぞれ位置する。表示画面１４を、液晶表示装置（ＬＣＤ）、有機発光ダイオード（ＯＬＥＤ）表示画面、または可撓ＯＬＥＤ表示画面として構成することができる。表示画面１４は、表示領域１４１および非表示領域１４２を含み、表示領域１４１は、画像、テキスト、などを表示する表示画面アセンブリ１０の機能を果たすように構成される。
【００３２】
カバープレート１６が、表示画面１４上に設けられている。カバープレート１６の下面１６２と表示画面１４の上面１４４とを、フルラミネーション方式で接合することができる。本開示のいくつかの実施形態においては、カバープレート１６の下面１６２と表示画面１６の上面１４４とを、光学的に透明な接着剤（ＯＣＡ）によって積層することができる。カバープレート１６は、タッチ画面式カバープレートとして構成されている。すなわち、タッチ式画面のタッチ制御回路が、カバープレート１６に一体化されており、カバープレート１６をクリックすることによってタッチ制御機能を達成することができる。カバープレート１６を、ガラス、サファイア、またはポリ塩化ビニル（ＰＶＣ）、などの材料で製作することができる。いくつかの実施形態において、カバープレート１６は、構造物の２つの層、すなわちタッチパネルおよびタッチパネル上に設けられた保護カバーシートを有するように構成される。タッチパネルは、タッチ式画面のタッチ制御回路を含み、表示画面アセンブリ１０のタッチ操作を達成するように構成され、保護カバーシートは、タッチパネルに対する直接のタッチ操作によるタッチパネルの損傷を防ぐように構成される。換言すると、カバープレート１６は、より良好に保護されたタッチ式画面として機能する。カバープレート１６は、その側壁に溝１６４を有する。本開示のいくつかの実施形態において、溝１６４は、段差の形状を有するように構成される。他の実施形態において、溝１６４は、凹状の形状を有するように構成されてもよい。溝１６４の形状は、本明細書において限定されない。非表示領域１４２および他の内部構造を遮蔽するように、カバープレート１６の下面１６２に、その外縁の黒色インクの縁の円がスクリーン印刷されている。
【００３３】
装飾エンクロージャ１８は、互いに結合した第１の接合部１８２および第２の接合部１８４を含む。第１の接合部１８２は、溝１６４に収容される。本開示のいくつかの実施形態において、第１の接合部１８２は溝１６４に嵌め込まれ、装飾エンクロージャ１８は、インモールド射出成形によって全体としてのカバープレート１６に接合される。本開示のいくつかの実施形態において、第１の接合部１８２は、溝１６４の形状に一致した段差の形状を有するように構成される。他の実施形態においては、第１の接合部１８２を、第１の接合部１８２を溝１６４に適合および結合させることができる限りにおいて、溝１６４の形状に一致した別の形状を有するように構成することもできる。第２の接合部１８４は、側壁１２４に接合される。本開示の実施形態において、第２の接合部１８４は、その内面にねじ穴１８４２を有し、側壁１２４は、ねじ穴１８４２に対応する位置に結合用の貫通孔１２４２を有し、ねじ１８４４が結合用の貫通孔１２４２を貫き、第２の接合部１８４を側壁１２４に接合する。本開示のいくつかの実施形態においては、ねじ１８４４が、結合用の貫通孔１２４２を通過し、第２の接合部１８４のねじ穴１８４２にねじ込まれて、第２の接合部１８４を側壁１２４に固定する。他の実施形態においては、第２の接合部１８４を、接着、ねじ止め、スナップ留め、および溶接のうちの１つまたはいくつかの組み合わせによって、側壁１２４に接合することができる。いくつかの実施形態においては、第２の接合部１８４を、実際上の要件に従って適切な結合方法を選択することによって側壁１２４に接合することができる。第２の接合部１８４と側壁１２４との間の結合のやり方は、本明細書において限定されない。装飾エンクロージャ１８の外壁１８８は、円弧形状を有するように構成される。他の実施形態において、装飾エンクロージャ１８の外壁１８８は、円弧形状に限定されず、他の形状を有するように構成されてもよい。本開示のいくつかの実施形態において、装飾エンクロージャ１８は、カバープレート１６の外縁を取り囲む。
【００３４】
後部カバー２０は、装飾エンクロージャ１８に嵌め合わせられる。本開示のいくつかの実施形態において、装飾エンクロージャ１８は、装飾エンクロージャ１８のねじ穴１８４２とは反対側の側面にボス１８６を備え、後部カバー２０は、ボス１８６に対応する溝２２を有し、ボス１８６が溝２２に嵌め込まれ、後部カバー２０を装飾エンクロージャ１８に結合させる。
【００３５】
本開示の実施形態による表示画面アセンブリ１０の組み立てにおいて、最初に装飾エンクロージャ１８がインモールド射出成形によって全体としてのカバープレート１６に接合され、第１の接合部１８２が溝１６４に収容される。次いで、カバープレート１６の下面１６２が、光学的に透明な接着剤（ＯＣＡ）によって表示画面１６の上面１４４に十分に積層されることで、装飾エンクロージャ１８、カバープレート１６、および表示画面１４の上面１４４が互いに結合する。最後に、ブラケット１２が装飾エンクロージャ１８に接合され、ブラケット１２の側壁１２４が装飾エンクロージャ１８の第２の接合部１８４に固定され、表示画面１４の下面１４６がブラケット１２の底壁１２２上に設けられる。このようにして、表示画面アセンブリ１０が形成される。
【００３６】
本開示の実施形態による表示画面アセンブリ１０および電子機器１００においては、表示画面アセンブリ１０のブラケット１２、表示画面１４、カバープレート１６、および装飾エンクロージャ１８の構造が合理的に設計されているため、電子機器１００の外縁のベゼルがきわめて狭いときに電子機器において表示画面１４およびカバープレート１６を組み立てることができ、したがって電子機器１００のきわめて狭いベゼルに起因する組み立て困難の問題が解決される。したがって、きわめて狭いベゼルが達成され、画面対本体比が大きくなり、したがってユーザ体験が改善される。本開示の実施形態による表示画面アセンブリ１０および電子機器１００は、単純な構造および容易な組み立てプロセスを有し、生産効率の向上および生産コストの削減を容易にする。
【００３７】
さらに、装飾エンクロージャ１８が、インモールド射出成形によって全体としてのカバープレート１６に結合させられ、第１の接合部１８２は溝１６４に収容される。この成形のやり方により、装飾エンクロージャ１８をカバープレート１６により良好に適合させることができ、段差の形状を有する溝１６４により、より安定に電子機器１００において装飾エンクロージャ１８をカバープレート１６に固定することができる。さらに、第１の接合部１８２が段差の形状を有する溝１６４に収容されため、第１の接合部１８２がカバープレート１６の黒色インクの縁の一部を覆い、黒色インクの縁の幅を小さくする。ユーザが電子機器１００を使用するとき、黒色インクの縁がユーザにとってより狭く、より芸術的に見え、したがってユーザ体験が改善される。
【００３８】
図２および図３に示されるように、本開示の実施形態による製造方法は、表示画面アセンブリ１０を製造するように構成される。この製造方法は、以下のブロックの行為を含む。
【００３９】
ブロックＳ１１：装飾エンクロージャ１８、カバープレート１６、表示画面１４、およびブラケット１２が用意される。
【００４０】
ブロックＳ１２：装飾エンクロージャ１８およびカバープレート１６が、装飾エンクロージャ１８をカバープレート１６に固定的に結合させるようにインモールド射出成形され、カバープレート１６は、その側壁に溝１６４を有し、装飾エンクロージャ１８は、互いに結合した第１の接合部１８２および第２の接合部１８４を含み、第１の接合部１８２が溝１６４に収容される。
【００４１】
ブロックＳ１３：表示画面１４の上面１４４が、カバープレート１６の下面１６２と十分に積層される。
【００４２】
ブロックＳ１４：ブラケット１２の側壁１２４が、装飾エンクロージャ１８に固定的に結合させられ、ブラケット１２の底壁１２２が、表示画面１４の下方に配置される。
【００４３】
ブラケット１２は、底壁１２２と、底壁１２２から曲がった側壁１２４とを含む。本開示の実施形態において、底壁１２２および側壁１２４は互いに垂直であり、４つの側壁１２４が設けられており、換言すると、側壁１２４は底壁１２２の４つの辺のそれぞれから延びている。他の実施形態において、底壁１２２は、側壁１２４に対して垂直でなくてもよい。ブラケット１２を、鋼、アルミニウム合金、およびはマグネシウム合金などの金属材料で製作することができる。ブラケット１２を、アクリロニトリル−ブタジエン−スチレン共重合体（ＡＢＳ）、ポリ塩化ビニル（ＰＶＣ）、またはポリカーボネート（ＰＣ）などの非金属材料で製作することも可能である。ブラケット１２の材料は、上述の材料に限定されるものではなく、実用上の要求に応じて適切な材料を選択することができる。
【００４４】
表示画面１４は、上面１４４および下面１４６を含む。表示画面１４の下面１４６は、ブラケット１２の底壁１２２の上に設けられ、表示画面１４の下面１４６を、粘着の様相で底壁１２２に接合することができる。本開示のいくつかの実施形態においては、必要に応じて、表示画面１４の下面１４６とブラケット１２の底壁１２２との間に、発泡接着剤または両面接着剤の層による詰め物を配置することができる。本開示のいくつかの実施形態においては、衝突に遭遇したときに表示画面１４を保護すべく緩衝空間を提供するために、表示画面１４の下面１４６とブラケット１２の底壁１２２との間にすき間を保持することもできる。表示画面１４および側壁１２４は、底壁１２２の２つの反対向きの面にそれぞれ位置する。表示画面１４を、液晶表示装置（ＬＣＤ）、有機発光ダイオード（ＯＬＥＤ）表示画面、または可撓ＯＬＥＤ表示画面として構成することができる。表示画面１４は、表示領域１４１および非表示領域１４２を含み、表示領域１４１は、画像、テキスト、などを表示する表示画面アセンブリ１０の機能を果たすように構成される。
【００４５】
カバープレート１６が、表示画面１４上に設けられている。カバープレート１６の下面１６２と表示画面１４の上面１４４とを、光学的に透明な接着剤（ＯＣＡ）によって積層することができる。カバープレート１６は、タッチ画面式カバープレートとして構成されている。すなわち、タッチ式画面のタッチ制御回路が、カバープレート１６に一体化されており、カバープレート１６をクリックすることによってタッチ制御機能を達成することができる。カバープレート１６を、ガラス、サファイア、またはポリ塩化ビニル（ＰＶＣ）、などの材料で製作することができる。いくつかの実施形態において、カバープレート１６は、構造物の２つの層、すなわちタッチパネルおよびタッチパネル上に設けられた保護カバーシートを有するように構成される。タッチパネルは、表示画面アセンブリ１０のタッチ操作を達成するように構成され、保護カバーシートは、タッチパネルに対する直接のタッチ操作によるタッチパネルの損傷を防ぐように構成される。カバープレート１６は、その側壁に溝１６４を有する。本開示のいくつかの実施形態において、溝１６４は、段差の形状を有するように構成される。他の実施形態において、溝１６４は、凹状の形状を有するように構成されてもよい。溝１６４の形状は、本明細書において限定されない。非表示領域１４２および他の内部構造を遮蔽するように、カバープレート１６の下面１６２に、その外縁の黒色インクの縁の円がスクリーン印刷されている。
【００４６】
装飾エンクロージャ１８は、互いに結合した第１の接合部１８２および第２の接合部１８４を含む。第１の接合部１８２は、溝１６４に収容される。少なくとも１つの実施形態において、第１の接合部１８２は、溝１６４に嵌め込まれる。本開示のいくつかの実施形態において、第１の接合部１８２は、溝１６４の形状に一致した段差の形状を有するように構成される。他の実施形態においては、第１の接合部１８２を、第１の接合部１８２を溝１６４に適合および結合させることができる限りにおいて、溝１６４の形状に一致した別の形状を有するように構成することもできる。第２の接合部１８４は、側壁１２４に接合される。本開示の実施形態において、第２の接合部１８４は、その内面にねじ穴１８４２を有し、側壁１２４は、ねじ穴１８４２に対応する位置に結合用の貫通孔１２４２を有し、ねじ１８４４が結合用の貫通孔１２４２を貫き、第２の接合部１８４を側壁１２４に結合させる。本開示のいくつかの実施形態においては、ねじ１８４４が、結合用の貫通孔１２４２を通過し、第２の接合部１８４のねじ穴１８４２にねじ込まれて、第２の接合部１８４を側壁１２４に固定する。他の実施形態においては、第２の接合部１８４を、接着、ねじ止め、スナップ留め、および溶接のうちの１つまたはいくつかの組み合わせによって、側壁１２４に接合することができる。いくつかの実施形態においては、第２の接合部１８４を、実際上の要件に従って適切な結合方法を選択することによって側壁１２４に接合することができる。第２の接合部１８４と側壁１２４との間の結合のやり方は、本明細書において限定されない。装飾エンクロージャ１８の外壁１８８は、円弧形状を有するように構成される。他の実施形態において、装飾エンクロージャ１８の外壁１８８は、円弧形状に限定されず、他の形状を有するように構成されてもよい。本開示のいくつかの実施形態において、装飾エンクロージャ１８は、カバープレート１６の外縁を取り囲む。
【００４７】
本開示の実施形態による製造方法によって製造された表示画面アセンブリ１０においては、表示画面アセンブリ１０のブラケット１２、表示画面１４、カバープレート１６、および装飾エンクロージャ１８の構造が合理的に設計されているため、電子機器１００の外縁のベゼルがきわめて狭いときに電子機器１００において表示画面１４およびカバープレート１６を組み立てることができ、したがって電子機器１００のきわめて狭いベゼルに起因する組み立て困難の問題が解決される。したがって、きわめて狭いベゼルが達成され、画面対本体比が大きくなり、したがってユーザ体験が改善される。本開示の実施形態による表示画面アセンブリ１０および電子機器１００は、単純な構造および容易な組み立てプロセスを有し、生産効率の向上および生産コストの削減を容易にする。
【００４８】
さらに、装飾エンクロージャ１８が、インモールド射出成形によって全体としてのカバープレート１６に接合され、第１の接合部１８２は溝１６４に収容される。この成形のやり方により、装飾エンクロージャ１８をカバープレート１６により良好に適合させることができ、段差の形状を有する溝１６４により、より安定に電子機器１００において装飾エンクロージャ１８をカバープレート１６に固定することができる。さらに、第１の接合部１８２が段差の形状を有する溝１６４に収容されため、第１の接合部１８２がカバープレート１６の黒色インクの縁の一部を覆い、黒色インクの縁の幅を小さくする。ユーザが電子機器１００を使用するとき、黒色インクの縁がユーザにとってより狭く、より芸術的に見え、したがってユーザ体験が改善される。
【００４９】
本明細書の全体を通して、「実施形態」、「いくつかの実施形態」、「典型的な実施形態」、「例」、「特定の例」、または「いくつかの例」への言及は、その実施形態または例に関連して説明される特定の特徴、構造、材料、または特性が、本開示の少なくとも１つの実施形態または例に含まれることを意味する。したがって、本明細書の全体のさまざまな箇所におけるこれらの表現の出現は、必ずしも本開示の同じ実施形態または例を指しているわけではない。さらに、特定の特徴、構造、材料、または特性は、１つ以上の実施形態または例において任意の適切な方法で組み合わせることが可能である。
【００５０】
さらに、「第１の・・・」および「第２の・・・」などの用語は、本明細書において、説明の目的で使用されており、相対的な重要性または重大性を意味または示唆しようとしたものではない。したがって、「第１の・・・」および「第２の・・・」で定義された特徴は、この特徴を１つ以上含むことができる。本開示の説明において、「複数の・・・」は、とくに断りのない限り、２つ以上を意味する。
【００５１】
典型的な実施形態を図示して説明したが、上記の実施形態を本開示を限定するものと解釈することはできず、これらの実施形態において、本開示の原理および範囲から外れることなく、変更、代替、および修正を行うことが可能であることを、当業者であれば理解できるであろう。本開示の範囲は、特許請求の範囲およびその均等物によって限定される。
【図１】
0006812557.tif 000002
【図２】
0006812557.tif 000003
【図３】
0006812557.tif 000004